(57)【特許請求の範囲】
【請求項１】
側壁が底板に平面略コ字状に立設され、内部に本を収納する本体部と、
前記本体部の前記側壁のない左側に右端が連結された連結部と、
前記連結部の左端に折り曲げ自在に連結され、前記本体部を上方から覆って閉じる蓋部を備える本収納ケースであって、
一方の翼部が前記連結部に貼着され、他方の翼部が前記一方の翼部の右側に立設された断面略Ｌ字状の第一アングルと、
前記第一アングルの他方の翼部の先端に左端が折り曲げ自在に連結され、右端の上面に前記収納された本の右側への移動を阻止する凸部が形成された中敷きとを備え、
前記本体部と前記連結部との連結は折り曲げ自在であるとともに、前記蓋部を開けたときに前記第一アングルを左方向に回転して、前記中敷きを斜め左上方にせり出すようにしたことを特徴とする本収納ケース。
【請求項２】
前記第一アングル、前記中敷き、及び前記凸部は、一連の布体で被覆されていることを特徴とする請求項１に記載の本収納ケース。
【請求項３】
断面略Ｌ字状の第二アングルをさらに備え、
前記中敷きの右端に前記第二アングルの一方の翼部が前記中敷きと平行になるように連結されるとともに、前記凸部は前記第二アングルの他方の翼部であることを特徴とする請求項１又は２に記載の本収納ケース。
【請求項４】
前記第二アングルの角部又は前記第二アングルの角部に対応する前記布体の部位のうち前記本体部と接触する部位に、前記本体部との摩擦を軽減する摺動層が形成されていることを特徴とする請求項３に記載の本収納ケース。
【請求項５】
前記凸部の高さは、前記本体部の側壁の高さと略等しいことを特徴とする請求項１乃至４のうちいずれか一つに記載の本収納ケース。
【請求項６】
請求項１乃至５のうちいずれか一つに記載の本収納ケースに、左右の幅が前記中敷きの左右の幅よりも広い本を収納する本収納ケースの使用方法であって、
前記蓋部を閉じたときには、前記本を前記中敷き及び前記第一アングルの他方の翼部に上載し、
前記蓋部を開けたときには、前記第一アングルを左方向に回転して、前記中敷きを斜め左上方にせり出すようにし、前記中敷きの左端から突出した前記本の部位を上下から把持して前記本体部から前記本を取り出し可能にしたことを特徴とする本収納ケースの使用方法。
【発明の詳細な説明】
【技術分野】
【０００１】
本発明は、内部に本を収納する本収納ケースに関するものである。
【背景技術】
【０００２】
卒業アルバムや結婚式のアルバムのような写真アルバムや高級な本は、専用の本収納ケースに収納され、大切に保管される。
このような内部に本を収納する本収納ケースとして、図８に示すようなものが開示されている（例えば、特許文献１，２参照）。
【先行技術文献】
【特許文献】
【０００３】
【特許文献１】特開２００５−１７８３４３号公報
【特許文献２】特開２０００−１５９５５号公報
【０００４】
図８に記載の発明は、側壁１１が底板１２の四方を囲むように立設された本体部１３と、本体部の上方から覆って閉じる蓋部１５とを備えるものである。そして、本体部１３と蓋部１５とは折り曲げ自在に連結され、蓋部１５が本体部１３を覆って閉じる。
このような本収納ケース１０によると、内部に本Ｂを収納することができるので、保管時に本Ｂが傷み難い。
また、本Ｂを本収納ケース１０に収納して販売することで、本Ｂに高級感を出すことができるので、一般の本との差別化を図ることができる。
【発明の概要】
【発明が解決しようとする課題】
【０００５】
しかしながら、収納する本Ｂのサイズは本収納ケース１０の内寸と略等しいので、本Ｂと本体部１３の側壁１１との間にほとんど隙間がない。これにより、収納された本Ｂが内部でがたつかない反面、収納した本Ｂを本収納ケース１０から取り出し難い。したがって、本収納ケース１０をひっくり返すか、本体部１３の底面１２等に取付けられ本体部１３の外側に垂らしたリボンを引いて、収納した本Ｂを取り出さなければならず、煩わしいというという問題がある。
【０００６】
そこで、本発明の目的とするところは、内部に収納した本を容易に取り出すことができる本収納ケースを提供することにある。
【課題を解決するための手段】
【０００７】
上記の目的を達成するために、本発明の請求項１に記載の本収納ケース（２０）は、側壁（２１）が底板（２２）に平面略コ字状に立設され、内部に本（Ｂ）を収納する本体部（２３）と、前記本体部（２３）の前記側壁（２１）のない左側に右端（２４ａ）が連結された連結部（２４）と、前記連結部（２４）の左端（２４ｂ）に折り曲げ自在に連結され、前記本体部（２３）を上方から覆って閉じる蓋部（２５）を備える本収納ケース（２０）であって、一方の翼部（２６ａ）が前記連結部（２４）に貼着され、他方の翼部（２６ｂ）が前記一方の翼部（２６ａ）の右側に立設された断面略Ｌ字状の第一アングル（２６）と、前記第一アングル（２６）の他方の翼部（２６ｂ）の先端に左端（２８ｂ）が折り曲げ自在に連結され、右端（２８ａ）の上面に前記収納された本（Ｂ）の右側への移動を阻止する凸部（２７）が形成された中敷き（２８）とを備え、前記本体部（２３）と前記連結部（２４）との連結は折り曲げ自在であるとともに、前記蓋部（２５）を開けたときに前記第一アングル（２６）を左方向に回転して、前記中敷き（２８）を斜め左上方にせり出すようにしたことを特徴とする。
【０００８】
また、請求項２に記載の本収納ケース（２０）は、前記第一アングル（２６）、前記中敷き（２８）、及び前記凸部（２７）は、一連の布体（２９）で被覆されていることを特徴とする。
【０００９】
また、請求項３に記載の本収納ケース（２０）は、断面略Ｌ字状の第二アングル（３０）をさらに備え、前記中敷き（２８）の右端（２８ａ）に前記第二アングル（３０）の一方の翼部（３０ａ）が前記中敷き（２８）と平行になるように連結されるとともに、前記凸部（２７）は前記第二アングル（３０）の他方の翼部（３０ｂ）であることを特徴とする。
【００１０】
また、請求項４に記載の本収納ケース（２０）は、前記第二アングル（３０）の角部（３０ｃ）又は前記第二アングル（３０）の角部（３０ｃ）に対応する前記布体（２９）の部位のうち前記本体部（２３）と接触する部位に、前記本体部（２３）との摩擦を軽減する摺動層（３２）が形成されていることを特徴とする。
【００１１】
また、請求項５に記載の本収納ケース（２０）は、前記凸部（２７）の高さ（Ｈ１）は、前記本体部（２３）の側壁（２１）の高さ（Ｈ２）と略等しいことを特徴とする。
【００１２】
また、請求項６に記載の本収納ケース（２０）は、請求項１乃至５のうちいずれか一つに記載の本収納ケース（２０）に、左右の幅（Ｗ１）が前記中敷き（２８）の左右の幅よりも広い本（Ｂ）を収納する本収納ケース（２０）の使用方法であって、前記蓋部（２５）を閉じたときには、前記本（Ｂ）を前記中敷き（２８）及び前記第一アングル（２６）の他方の翼部（２６ｂ）に上載し、前記蓋部（２５）を開けたときには、前記第一アングル（２６）を左方向に回転して、前記中敷き（２８）を斜め左上方にせり出すようにし、前記中敷き（２８）の左端（２８ｂ）から突出した前記本（Ｂ）の部位を上下から把持して前記本体部（２３）から前記本（Ｂ）を取出し可能にしたことを特徴とする。
【００１３】
なお、ここでいう本（Ｂ）とは、写真アルバムを含む広義の本をいう。
【００１４】
ここで、上記括弧内の記号は、図面および後述する発明を実施するための形態に掲載された対応要素または対応事項を示す。
【発明の効果】
【００１５】
本発明の請求項１に記載の本収納ケースによれば、一方の翼部が連結部に貼着され、他方の翼部が一方の翼部の右側に立設された断面略Ｌ字状の第一アングルと、第一アングルの他方の翼部の先端に左端が折り曲げ自在に連結され、右端の上面に収納された本の右側への移動を阻止する凸部が形成された中敷きとを備え、本体部と連結部との連結は折り曲げ自在であるとともに、蓋部を開けたときに第一アングルを左方向に回転して、中敷きを斜め左上方にせり出すようにしたので、左右の幅が中敷きの左右の幅よりも広い本を中敷きに上載した場合には、本に凸部が当接して中敷きとともに本がせり出し、しかも中敷きの左端から本が突出する。よって、その本の突出した部位の下には空間が生じるので、ユーザは本を上下から把持することができ、収納した本を容易に取り出すことができる。
【００１６】
また、請求項２に記載の本収納ケースによれば、請求項１に記載の発明の作用効果に加え、第一アングル、中敷き、及び凸部は、一連の布体で被覆されているので、各部材の境目に生じる角部を覆うことできる。したがって、その角部によって、収納した本を傷付けることを防止することができる。
また、各部材の境目をなくすことができるので、見栄えがよい。
また、布体は、使用時に繰り返し折り曲げられる第一アングルと中敷きの連結部分の補強にもなる。
【００１７】
また、請求項３に記載の本収納ケースによれば、請求項１又は２に記載の発明の作用効果に加え、断面略Ｌ字状の第二アングルをさらに備え、中敷きの右端に第二アングルの一方の翼部が中敷きと平行になるように連結されるとともに、凸部は第二アングルの他方の翼部であるので、他方の翼部の高さが異なる第二アングルを複数用意するだけで、様々な厚さの本収納ケースの生産に対応することが容易である。
すなわち、一般に、内部に収納する本の厚さに合った厚さの本収納ケースを各種生産することが多いが、中敷きに直接凸部が形成されている場合には、その凸部と一体の中敷きを何種類も製造しなければならず、保管のときに中敷きが嵩張ってしまう。一方、第二アングルを用いた場合には、他方の翼部の高さが異なる第二アングルを複数用意し、中敷きは一種類だけ製造すれば済むので、保管のときに嵩張らず、様々な厚さの本収納ケースの生産に対応することが容易である。
また、凸部である第二アングルの他方の翼部は一方の翼部と一体であるので、凸部に本からの負荷が掛かっても、凸部が中敷きに対して倒れてしまうということが起こり難い。
【００１８】
また、請求項４に記載の本収納ケースによれば、請求項３に記載の発明の作用効果に加え、第二アングルの角部又は第二アングルの角部に対応する布体の部位のうち本体部と接触する部位に、本体部との摩擦を軽減する摺動層が形成されているので、蓋部の開閉のたびに中敷きと本体部が擦れても、その本体部と接触する部位が傷付き難い。
【００１９】
また、請求項５に記載の本収納ケースによれば、凸部の高さは、本体部の側壁の高さと略等しいので、凸部の高さは収納する本の厚さと略等しいか、本の厚さよりも高い。よって、中敷きが斜め左上方にせり出すときに、確実に本の右側への移動を阻止することができる。
【００２０】
また、請求項６に記載の本収納ケースの使用方法によれば、蓋部を閉じたときには、左右の幅が中敷きの左右の幅よりも広い本を中敷き及び第一アングルの他方の翼部に上載し、蓋部を開けたときには、第一アングルを左方向に回転して、中敷きを斜め左上方にせり出すようにし、中敷きの左端から突出した本の部位を上下から把持して本体部から本を取り出し可能にしたので、収納した本を容易に取り出すことができる。
つまり、中敷きが左上方にせり出すことで中敷きの左端から本が突出し、その突出した本の部位の下には空間が生じるので、ユーザは本を上下から把持することができ、本の取り出しが容易である。
【００２１】
なお、本体部と蓋部とを有する点では上述した特許文献１に記載された発明と共通するが、本発明の本収納ケースのように、第一アングルと中敷きとを備え、蓋部を開けたときに第一アングルを左方向に回転して、中敷きを斜め左上方にせり出すようにした点は、特許文献１には全く記載されていない。
【図面の簡単な説明】
【００２２】
【図１】本発明の実施形態に係る本収納ケースを示す斜視図である。
【図２】図１に示す本収納ケースの閉状態における断面図である。
【図３】図１に示す本収納ケースの開状態における断面図である。
【図４】図３に示す本収納ケースの要部拡大断面図である。
【図５】本発明の他の実施形態に係る本収納ケースを示す斜視図である。
【図６】本発明のさらに他の実施形態に係る本収納ケースにおける第一アングル、中敷き及び凸部を示す拡大斜視図である。
【図７】本発明のさらに他の実施形態に係る本収納ケースの要部拡大断面図である。
【図８】従来例に係る本収納ケースを示す斜視図である。
【発明を実施するための形態】
【００２３】
図１乃至図４を参照して、本発明の実施形態に係る本収納ケース２０を説明する。
この本収納ケース２０は、本体部２３と、連結部２４と、蓋部２５と、第一アングル２６と、中敷き２８と、第二アングル３０と、を備えるものである。
【００２４】
本体部２３は、内部に本Ｂを収納するものであって、側壁２１が底板２２に平面略コ字状に立設されている。三つの側壁２１の高さＨ２はそれぞれ等しく、収容する本Ｂの厚さＴよりも高い。なお、四方のうち底板２２の左側に側壁２１が立設されない。
また、底板２２の下面には、底板２２よりも一回り大きい外装体３３が貼着されており、外装体３３の下面が化粧面である。
【００２５】
連結部２４は、本体部２３の側壁２１のない左側に連結部２４の右端２４ａが連結され、本体部２３と蓋部２５とを連結するものである。本体部２３の外装体３３と連結部２４との連結部分は、表側と裏側の両方から前後方向に凹溝３４が形成されており、その凹溝３４において本体部２３と連結部２４が折り曲げ自在となっている。
また、連結部２４の下面が化粧面である。
【００２６】
蓋部２５は、連結部２４の左端２４ｂに連結され、本体部２３を上方から覆って閉じるものである。
また、蓋部２５にも側壁３５が天板３６に平面略コ字状に立設されており、四方のうち蓋部２５を開けたときの右側が側壁３５のない方向である。蓋部２５の三つの側壁３５の高さＨ３はそれぞれ等しく、本体部２３の側壁２１の高さＨ２よりも若干高い。
天板３６の下面（蓋部２５を開いた状態における下面）には、天板３６よりも一回り大きい外装体３７が貼着されており、外装体３７の下面が化粧面となっている。
なお、蓋部２５の外装体３７の大きさは本体部２３の外装体３３の大きさと等しい。
蓋部２５の外装体３７と連結部２４の連結部分も、表側と裏側の両方から前後方向に凹溝３８が形成されており、その凹溝３８において蓋部２５と連結部２４が折り曲げ自在となっている。
そして、蓋部２５を閉じたときには、蓋部２５の側壁３５はそれぞれ本体部２３の側壁２１よりも外側に位置する。
【００２７】
第一アングル２６は、図１及び図３に示すように、蓋部２５を開いた状態において、一方の翼部２６ａが連結部２４の上面に貼着され、他方の翼部２６ｂが一方の翼部２６ａの右側に立設された断面略Ｌ字状である。つまり、第一アングル２６の一方の翼部２６ａと他方の翼部２６ｂとのなす角は略９０度となっている。
よって、図２に示すように、蓋部２５を閉じた状態においては、連結部２４が鉛直状態になることに伴って、第一アングル２６の他方の翼部２６ｂは中敷き２８と平行になるとともに、一方の翼部２６ａが鉛直に延びる。
ここで、第一アングル２６の前後の長さは、本体部２３の前後の壁面間の距離より短い。
なお、第一アングル２６はプラスチック製であり、一方の翼部２６ａと他方の翼部２６ｂは一体的に成形されている。
【００２８】
中敷き２８は、平面状であり、第一アングル２６の他方の翼部２６ｂの先端に中敷き２８の左端２８ｂが折り曲げ自在に連結されている。また、中敷き２８は、厚手のボール紙からなる。
【００２９】
第二アングル３０は、断面略Ｌ字状であり、中敷き２８の右端２８ａに一方の翼部３０ａが中敷き２８と平行になるように連結されている。そして、第二アングル３０の他方の翼部３０ｂが一方の翼部３０ａの右側で、上方に向かって立設されている。この他方の翼部３０ｂは、本Ｂの右側への移動を阻止する凸部２７である。このように第二アングル３０も、一方の翼部３０ａと他方の翼部３０ｂとのなす角が略９０度となっている。
また、凸部２７の高さＨ１は、本体部２３の側壁２１の高さＨ２に比べ若干低いだけで、略等しい。
なお、第二アングル３０はプラスチック製であり、一方の翼部３０ａと他方の翼部３０ｂは一体的に成形されている。
【００３０】
ここで、図４に示すように、第一アングル２６、中敷き２８、及び第二アングル３０は、より詳細には、一連のフェルト調の布体２９で被覆されている。もちろん、この被覆によって第一アングル２６と中敷き２８との折り曲げは困難になるものではない。
【００３１】
以上のように構成された本収納ケース２０に、左右の幅Ｗ１が、中敷き２８の左右の幅Ｗ２よりも広くかつ中敷き２８の左右の幅Ｗ２と第一アングル２６の他方の翼部２６ｂの左右の幅Ｗ３の和よりも狭い本Ｂを収納する、本収納ケース２０の使用方法を説明する。
まず、図２に示すように、蓋部２５を閉じたときには、第一アングル２６の他方の翼部２６ｂが水平状態、つまり中敷き２８と平行になるので、第一アングル２６の他方の翼部２６ｂ、中敷き２８、及び第二アングル３０の一方の翼部３０ａによって一つの面が形成される。この面に本Ｂを上載する。
【００３２】
そして、図１及び図３に示すように、蓋部２５を開けたときには、連結部２４を、連結部２４と本体部２３との連結部分３４を回転の中心として回転することで、第一アングル２６を左方向に回転して（正面視で反時計回り）、第一アングル２６の他方の翼部２６ｂを鉛直状態とし、第一アングル２６の他方の翼部２６ｂに連結された中敷き２８を斜め左上方にせり出すようにする。
こうすることで、蓋部２５を閉じていたときに第一アングル２６の他方の翼部２６ｂに上載されていた本Ｂの部位が中敷き２８の左端２８ｂから突出するようになるので、その突出した本Ｂの部位を上下から把持して本体部２３から本Ｂを取り出し可能にした。
【００３３】
このように構成及び使用される本収納ケース２０によれば、第一アングル２６と、第一アングル２６の他方の翼部２６ｂの先端に左端２８ｂが折り曲げ自在に連結された中敷き２８と、中敷き２８に連結され本Ｂの右側への移動を阻止する他方の翼部３０ｂ（凸部２７）が形成された第二アングル３０とを備え、本体部２３と連結部２４との連結は折り曲げ自在であるとともに、蓋部２５を開けたときに第一アングル２６を左方向に回転して、中敷き２８を斜め左上方にせり出すようにしたので、左右の幅Ｗ１が中敷き２８の左右の幅Ｗ２よりも広い本Ｂを中敷き２８に上載した場合には、本Ｂに凸部２７が当接して中敷き２８とともに本Ｂがせり出し、しかも中敷き２８の左端２８ｂから本Ｂが突出する。よって、その本Ｂの突出した部位の下には空間が生じるので、ユーザは本Ｂを上下から把持することができ、収納した本Ｂを容易に取り出すことができる。
【００３４】
また、第一アングル２６、中敷き２８、及び第二アングル３０は、一連の布体２９で被覆されているので、各部材２６，２８，３０の境目に生じる角部を覆うことできる。したがって、その角部によって、収納した本Ｂを傷付けることを防止することができる。
また、各部材２６，２８，３０の境目をなくすことができるので、見栄えがよい。
また、布体２９は、使用時に繰り返し折り曲げられる第一アングル２６と中敷き２８の連結部分の補強にもなる。
【００３５】
また、中敷き２８の右端２８ａに第二アングル３０の一方の翼部３０ａが中敷き２８と平行になるように連結されるとともに、第二アングル３０の他方の翼部３０ｂが、本Ｂの右側への移動を阻止する凸部２７であるので、他方の翼部３０ｂの高さＨ１が異なる第二アングル３０を複数用意するだけで、様々な厚さの本収納ケース２０の生産に対応することが容易である。
すなわち、一般に、内部に収納する本Ｂの厚さＴに合った厚さの本収納ケース２０を各種生産することが多いが、他方の翼部３０ｂの高さＨ１が異なる第二アングル３０を複数用意し、中敷き２８は一種類だけ製造すれば済むので、保管のときに嵩張らず、様々な厚さの本収納ケース２０の生産に対応することが容易である。
また、凸部２７である第二アングル３０の他方の翼部３０ｂは一方の翼部３０ａと一体であるので、第二アングル３０の他方の翼部３０ｂに本Ｂからの負荷が掛かっても、第二アングル３０の他方の翼部３０ｂが中敷き２８に対して倒れてしまうということが起こり難い。
【００３６】
また、第二アングル３０の他方の翼部３０ｂの高さＨ１は、本体部２３の側壁２１の高Ｈ２さと略等しいので、第二アングル３０の他方の翼部３０ｂの高さＨ１は収納する本Ｂの厚さＴと略等しいか、本Ｂの厚さＴよりも高い。よって、中敷き２８が斜め左上方にせり出すときに、確実に本Ｂの右側への移動を阻止することができる。
【００３７】
なお、本実施形態において、第一アングル２６、中敷き２８、及び第二アングル３０は一連の布体２９で被覆されているとしたが、これに限られるものではない。
【００３８】
また、蓋部２５は側壁３５を備えるとしたが、これに限られるものではなく、図５に示すように、蓋部２５は外装体３７のみからなるものであってもよい。このとき、蓋部２５の下面にベルト４０を備え、このベルト４０により蓋部２５の閉じた状態を保持することが考えられる。なお、この保持手段はベルト４０に限られるものではない。
【００３９】
また、第二アングル３０を備えるとしたが、これに限られるものではなく、中敷き２８の右端２８ａの上面に直接凸部２７を形成してもよい。このとき、凸部２７は本Ｂの右側への移動を阻止できればよいので、図６に示すように、本Ｂの厚さＴよりも高さが低い凸部２７であってもよい。
また、凸部２７は前後に連続して形成されていなくてもよく、複数の凸部２７がそれぞれ前後に所定間隔を開けて形成されていてもよい。
【００４０】
さらに、図７に示すように、第二アングル３０の角部３０ｃに対応する布体２９の部位のうち本体部２３と接触する部位に、本体部２３との摩擦を軽減する摺動層４１を形成してもよい。これにより、蓋部２５の開閉のたびに中敷き２８と本体部２３が擦れても、その本体部２３と接触する部位が傷付き難い。もちろん、布体２９を備えない場合には、第二アングル３０の角部３０ｃに直接摺動層４１を形成することになる。
この摺動層４１は、テープ状のものを貼着して形成してもよいし、塗膜であってもよい。
【００４１】
また、本体部２３の底板２２表面に浅い凹部（図示しない）を設けて、その凹部にＤＶＤやＣＤを収納するようにしてもよい。すなわち、例えば結婚式のアルバムを本収納ケース２０に収納する場合に、その結婚式の映像を収録したＤＶＤも同時に収納することができるので、便利である。
【００４２】
また、本体部２３と蓋部２５はそれぞれ外装体３３，３７を備えるとしたが、これに限られるものではなく、本体部２３の底板２２及び蓋部２５の天板３６がそれぞれ直接連結部２４と連結されていてもよい。
【００４３】
本実施形態に係る本収納ケース２０の使用方法においては、収納される本Ｂの左右の幅Ｗ１が中敷き２８の左右の幅Ｗ２よりも広い場合が効果的であるが、左右の幅Ｗ１が中敷き２８の左右の幅Ｗ２よりも狭い本Ｂであって、蓋部２５を開いたときに中敷き２８の左端２８ｂから本Ｂが突出しない場合であっても、従来の本収納ケース２０よりも収納した本Ｂを取り出し易い。
【符号の説明】
【００４４】
１０      本収納ケース
１１      側壁
１２      底板
１３      本体部
１５      蓋部
２０      本収納ケース
２１      側壁
２２      底板
２３      本体部
２４      連結部
２４ａ    右端
２４ｂ    左端
２５      蓋部
２６      第一アングル
２６ａ    一方の翼部
２６ｂ    他方の翼部
２７      凸部
２８      中敷き
２８ａ    右端
２８ｂ    左端
２９      布体
３０      第二アングル
３０ａ    一方の翼部
３０ｂ    他方の翼部
３０ｃ    角部
３２      摺動層
３３      外装体
３４      凹溝
３５      側壁
３６      天板
３７      外装体
３８      凹溝
４０      ベルト
４１      摺動層
Ｂ      本
Ｈ１    凸部の高さ
Ｈ２    本体部の側壁の高さ
Ｈ３    蓋部の側壁の高さ
Ｔ      本の厚さ
Ｗ１    本の左右の幅
Ｗ２    中敷きの左右の幅
Ｗ３    第一アングルの他方の翼部の左右の幅
【図１】
0005204812.tif 000002
【図２】
0005204812.tif 000003
【図３】
0005204812.tif 000004
【図４】
0005204812.tif 000005
【図５】
0005204812.tif 000006
【図６】
0005204812.tif 000007
【図７】
0005204812.tif 000008
【図８】
0005204812.tif 000009